(57)【要約】【課題】タブレットＰＣをはじめとした板状の携帯性情報機器端末を立てたり手で持ったり、異なる使用方法を、アタッチメントを使用せずに１つのカバーで実現できる。【解決手段】板状のタブレットＰＣ４０に取り付けるベース具１０と、保持具２０とからカバー１を構成する。ベース具１０の四隅に、ねじ穴（保持点）を形成する厚肉部１４を設けてなり、保持具１０は柔軟材料の本体部２１と四隅に硬質材料の取付部２２とからなる。各取付部２２で、ねじ穴に対応して操作開口２６を形成する。操作開口２６に通したファスナー３１を、ねじ穴に固定して、ベース具１０と保持具２０を着脱自在とする。操作開口２６は中心部２７からＶ字状に形成され、操作開口２６内でファスナー３１の軸部３２は自由に位置を変え、保持具２０の本体部２１の屈曲変形をサポートして、保持具２０とベース具１０との間で、全部又は一部に空間を形成できる。【選択図】図１
2013186677.tif 000002
【特許請求の範囲】
【請求項１】
板状の携帯性情報機器端末に取り付けるベース具と、該ベース具に取り付ける保持具とからなり、以下のように構成することを特徴とする情報機器機端末用のカバー。
(1) 前記ベース具と前記保持具とは、少なくとも２点の保持点で結合され、かつ該保持点には、ベース具に着脱自在に取り付けられた軸部材を介して連結される。
(2) 前記保持具は、保持点の周辺に硬質材料で形成した取付部を形成し、該取付部に、前記軸部材が遊嵌できる操作開口を形成した。
(3) 前記保持具は、取付部以外の部分を柔軟な材料で形成した。
【請求項２】
板状の携帯性情報機器端末に取り付けるベース具と、該ベース具に取り付ける保持具とからなるカバーであって、以下のように構成することを特徴とする情報機器機端末用のカバーシステム
(1) 前記ベース具と前記前記保持具とは、少なくとも２点の保持点で結合され、かつ該保持点には、ベース具に着脱自在に取り付けられた軸部材を介して連結される。
(2) 前記保持具は、保持点の周辺に硬質材料で形成した取付部を形成し、該取付部に、前記軸部材が遊嵌できる長孔を形成した。
(3) 前記軸部材は、着脱自在にベース具に取付可能とした。
(4) 前記保持具は、複数の機能の構成のものを複数個用意して、前記ベース具と組み合わせて各保持具に対応した複数のカバーを構成する。
【発明の詳細な説明】
【技術分野】
【０００１】
この発明は、タブレットＰＣ（タブレット端末）などの携帯性の情報機器端末用のカバーシステムとこのカバーシステムを構成するカバーに関する。
【背景技術】
【０００２】
タブレットＰＣでは、いわゆる画面（ディスプレイ）のみの板状の形状であったため、手で持つために、手を通すことができる脱落防止ベルトを設けた保護装置（カバー）をタブレットＰＣに装着していた（特許文献１）。また、タブレット端末を机やテーブルにおいて使用するために、カバーに折り畳み可能な板状の脚部を設け（特許文献２）、あるいは回転自在のリング状のスタンドを設けていた（特許文献３）。
【先行技術文献】
【特許文献】
【０００３】
【特許文献１】登録実用新案第３１６８９１８号
【特許文献２】登録実用新案第３１６９２９０号
【特許文献３】登録実用新案第３１７０７４３号
【特許文献４】特開２０１１−２５４０４３
【発明の概要】
【発明が解決しようとする課題】
【０００４】
従来のタブレットＰＣ用のカバーでは、手で持つ使用方法や机に置く使用方法それぞれの使用方法に対応したカバーをそれぞれ用意しなければならなかった。したがって、タブレットＰＣとカバーをその都度、着脱する必要があり、作業が面倒であり、また、タブレットＰＣを傷つけるおそれもあった。  
そこで、手を通すアーム部を有するキャリングケースで、更に起伏可能なスタンド部を設けて、スタンド部を起こして、机などに立てかけでできるようにした発明も提案されている（特許文献４）。この発明では、アーム部はタブレットＰＣを提げる際にのみ使用し、スタンド部は立てかける際にのみ使用し、アーム部とスタンド部で一方を使用している際には他方を使うことはなかった。
【課題を解決するための手段】
【０００５】
これに対して、この発明は、情報機器端末に装着できるベース具に、保持点で着脱できる各種保持具を組み合わせてカバーシステムを構成し、あるいは、保持具の一つで保持点を硬質材料とし他の位置を柔軟材料で構成したカバーとしたので、前記問題点を解決した。
【０００６】
すなわち、カバーの発明は、板状の携帯性情報機器端末に取り付けるベース具と、該ベース具に取り付ける保持具とからなり、以下のように構成することを特徴とする情報機器機端末用のカバーである。  
(1) 前記ベース具と前記保持具とは、少なくとも２点の保持点で結合され、かつ該保持点には、ベース具に着脱自在に取り付けられた軸部材を介して連結される。  
(2) 前記保持具は、保持点の周辺に硬質材料で形成した取付部を形成し、該取付部に、前記軸部材が遊嵌できる操作開口を形成した。  
(3) 前記保持具は、取付部以外の部分を柔軟な材料で形成した。
【０００７】
また、カバーシステムの発明は、板状の携帯性情報機器端末に取り付けるベース具と、該ベース具に取り付ける保持具とからなるカバーであって、以下のように構成することを特徴とする情報機器機端末用のカバーシステムである。  
(1) 前記ベース具と前記前記保持具とは、少なくとも２点の保持点で結合され、かつ該保持点には、ベース具に着脱自在に取り付けられた軸部材を介して連結される。  
(2) 前記保持具は、保持点の周辺に硬質材料で形成した取付部を形成し、該取付部に、前記軸部材が遊嵌できる長孔を形成した。  
(3) 前記軸部材は、着脱自在にベース具に取付可能とした。  
(4) 前記保持具は、複数の機能の構成のものを複数個用意して、前記ベース具と組み合わせて各保持具に対応した複数のカバーを構成する。
【０００８】
前記における軸部材は通常はねじを切った軸部と大型の頭部とからなる小ボルトとし、取付部をねじ穴として構成する。また、軸部材をねじを切らない軸部と大型の頭部とからなるピンとして、取付部をこのピンを着脱自在に保持できるピン穴として構成することもできる。
【発明の効果】
【０００９】
タブレットＰＣをはじめとした板状の携帯性情報機器端末を立てたり手で持ったり、異なる使用方法を、アタッチメントを使用せずに１つのカバーで実現できる。  
また、ベース具と保持具とを着脱容易として、異なる機能を有する保持具と共通するベース具とを組み合わせてカバーシステムを構成すれば、１つの携帯性情報機器端末の異なる保持方法を構成できる。したがって、携帯性情報機器端末の使用範囲を拡大できるので、様々なソフトウエア（アプリケーション）の可能性を広げることができる。
【図面の簡単な説明】
【００１０】
【図１】図１は、この発明の実施態様のカバーで、（ａ）は正面図、（ｂ）はＡ−Ａ端面図、（ｃ）はＢ−Ｂ断面図である。
【図２】図２は、この発明の実施態様のカバーの保持具である。
【図３】図３は、使用状態で、（ａ）は側面図、（ｂ）は背面図である。
【図４】図４は、他の使用状態で、（ａ）は背面側の斜視図、（ｂ）はＣ−Ｃ端面図、（ｃ）は背面図である。
【図５】図５は、他の実施態様の背面図である。
【図６】図６は、他の保持具の実施態様で、（ａ）は正面図、（ｂ）はＤ−Ｄ断面図である。
【図７】図７は、同じくその保持具を使用したカバーの一部を破折した側面図である。
【図８】図８（ａ）〜（ｆ）は、他のベース具及び保持具の実施態様の概略した正面図である。
【発明を実施するための形態】
【００１１】
図面に基づいて、この発明の実施形態を説明する。
【００１２】
１．タブレットＰＣ（情報機器端末）４０
【００１３】
使用するタブレットＰＣ（携帯性情報機器端末）４０は、長方形の板状であり、正面に画面４１を有し、背面側にカバーを装着できるようになっている。
【００１４】
２．カバー１の構成
【００１５】
（１）  カバー１は、各種機能を有する保持具２０と、カバー１をタブレットＰＣ４０の背面側に装着するためのベース具１０とかならなる（図１）。
【００１６】
（２）  ベース具１０は、一面１０ａ側に、タブレットＰＣ４０の背面側の形状に添った形状で、タブレットＰＣ４０の背面側に嵌装できるように、凹部１２が形成されている。また、ベース具１０の他面１０ｂ側で、四隅部に、ねじ穴（保持点）１３を形成してある。したがって、ベース具１０の一面１０ａ側の凹部１２の形状は、使用するタブレットＰＣ４０の形状に合わせて、タブレットＰＣ４０がベース具１０から脱落しないような構成としてある。  
通常は、薄板を加工して、タブレットＰＣ４０の背面側の形状に沿った全体として薄肉で形成し、各ねじ穴１３の周囲のみをねじ穴１３の長さ（深さ）を確保するだけ厚肉部１４を形成してある（図１（ｂ））。
【００１７】
（３）  保持具２０は、ベース具１０の最大外形よりもやや小さい外形で、ゴム材からなる柔軟な本体部２１の四隅部に、金属板からなる硬質の取付部２２（２２Ａ〜２２Ｄ）を形成してある。この構成は、本体部２１の四隅部に金属板を重ねて貼って形成しても、金属板の間に四隅を削った本体部２１の隅部周辺を貼り付けて形成しても良い。ここで、本体部２１の長辺を辺２３Ａ（通常上）、辺２３Ｂ（通常下）、短辺２を辺２４Ａ、２４Ｂとする。  
取付部２２には、ベース具１０のねじ穴１３の位置に対応して、操作開口２６を形成する。操作開口２６は、保持具２０の本体部２１がベース具１０に添って重ねてた状態で（本体部２１が伸びない状態で）配置された際に、ねじ孔１３の位置に配置される中心部２７と、中心部２７から内側に向けて２本の案内部（長孔状）２８、２８とを形成した略Ｖ字状となっている。両案内部２８、２８は、「その中心部２７と案内部２８の先端部を結ぶ線Ｐ、Ｑ」のなす角度θ１は、「その中心部２７に対して隣り合う他の操作開口２６の中心部２７を結ぶ線Ｘ、Ｙ」のなす角θ０（通常は９０度になっている）」よりも内側に入るように、角度θ１は９０°あるいは９０°よりも小さく設定されている。通常は、６０°＜θ１＜８５°、程度で形成される。  
また、各案内部２８の先端側は、他の案内部２７側に向けて（内側に向けて）屈曲した係止部２９をそれぞれ形成してある。
【００１８】
（４）  本体部２１を変形させない状態で、保持具２０の一面２０ａをベース具１０の他面１０ｂに重ねると、ベース具１０の四隅のねじ穴１３、１３と、保持具２０の各操作開口２６の中心部２７とが一致する。また、ねじを切った軸部３２と軸部２３２より十分に大きな頭部３３とからファスナー（軸部材）３１を構成する。  
この状態で、操作開口２６の中心部２７からファスナー３１の軸部３２を挿入して、軸部３２をねじ穴１３に螺合して、ファスナー３１、３１で保持具２０をベース具１０に取り付け、カバー１を構成する。（図１）。この状態を基本状態とする。
【００１９】
（５）  この基本状態で、操作開口２６の中心部２７の大きさ、案内部２７の幅、係止部２９の大きさは、いずれも、ファスナー３１の軸部３２よりも大きく形成し、かつファスナー３１の頭部３３より小さく形成してあるので、ファスナー３１をねじ穴１３に取り付けた状態で、ファスナー３１の軸部３２は操作開口２６内を自由に移動でき、かつ操作開口２６からファスナー３１が抜けるおそれが無い。  
したがって、ファスナー３１によって、ファスナー３１の軸部３２が操作開口２６内で自由に移動でき、この範囲内で、ベース具１０に対して、保持具２０が本体部２１を変形させて、機能に応じて自由に屈曲できる。
【００２０】
３．カバー１の使用
【００２１】
（１）  各操作開口２６の中心部２７がねじ穴１３に位置して（操作開口２６の中心部２７にファスナー３１の軸部３２が位置して）、この状態を、カバーを基本状態として、ベース具１０の正面側（一面１０ａ）の凹部１２にタブレットＰＣ４０の背面側を装着して使用する。この際、予めベース具１０にタブレットＰＣ４０を装着して、その後にベース具１０にファスナー３１、３１で保持具２０を取り付けて、あとからカバー１を構成することもできる。逆に、ベース具１０にタブレットＰＣ４０を装着した状態で、保持具２０を自由に着脱できる。  
基本状態で、背面視で、保持具の辺２３Ａ、２３Ｂ側の長さをＬ２０、辺２４Ａ、２４Ｂ側の長さをＬ１０とする（図１（ｃ））。
【００２２】
（２）  タブレットＰＣ４０を持ち歩く際、あるいは、タブレットＰＣ４０を手４２で持って操作する場合には、保持具２０の本体部２１の辺２４Ａ（または辺２４Ｂ）から手４２を差し込めば、本体部２１が外側（他面２０ｂ側）に屈曲して、ベース具１０の他面１０ｂと保持具２０の一面２０ａとの間にスペース３０ができて容易に手４２を挿入できる（図３（ａ））。この際、保持具２０の取付部２２Ａ〜２２Ｄでもファスナー３１の軸部３２が操作開口２６の中心部２７から案内部２８を通って係止部２９側に移動して、係止部２９に係止する。これにより多くのスペース３０を確保できる（図３（ａ）（ｂ））。また、この状態で、ファスナー３１の頭部３２により、操作開口２６からファスナー３１が脱落するおそれも無いので、タブレットＰＣ４０を安全に手４２で保持できる。  
この状態で、背面視で、保持具２０の辺２３Ａ、２３Ｂ側の長さはＬ２１（＜Ｌ２０）、辺２４Ａ、２４Ｂ側の長さはＬ１１（＜Ｌ１０）となっている（図３（ｂ））。  
また、手４２を挿入する側は、短辺２４Ａ（２４Ｂ）側としたが、タブレットＰＣの画面４１の表示内容に長辺２３Ａ（２３Ｂ）側とすることもでき、いずれの辺２３Ａ、２３Ｂ、２４Ａ、２４Ｂからも挿入することができる（図示していない）。
【００２３】
（３）  また、タブレットＰＣ４０をテーブル４４などに立てる場合には、下に位置する（テーブル４４などに置かれる側）辺２３Ａで、操作開口２６、２６が近づくように、辺２３Ａ付近でのみ本体部２１を屈曲して、外側に向けて凸となるように変形させることができる（図４（ａ））。  
またこの際、本体部２１の辺２１Ａの屈曲に伴い、辺２３Ａの両側の取付部２２Ａ、２２Ｂも移動して、操作開口２６が移動して、ファスナー３１の軸３２は、取付部２２Ａ、２２Ｂで、それぞれ案内部２８を通って、係止部２９に至り、係止する。したがって、この状態で、背面視で、保持具２０の辺２３Ａ側の長さはＬ２２２（＜Ｌ２０）、辺２４Ａ、２４Ｂ側の長さはＬ１２（＜Ｌ１０）となり、また、辺２３ＢではＬ２２１（≒Ｌ２０）となっている（図４（ｃ））。  
この状態で、辺２３Ａが外に凸の曲線状となるので、ベース具１０の下縁１１（タブレットＰＣ４０の下縁４０ａ）と保持具２０の辺２３Ａとがテーブル４４などに接して、タブレットＰＣ４０をテーブル４４などに傾斜させて置いて使用することができる（図４（ａ）（ｂ））。
【００２４】
４．カバーシステム
【００２５】
（１）  前記カバー１のように、ベース具１０のねじ穴１３、１３を使用する取付部２２Ａ〜２２Ｄを共通して、他のカバー２を形成して、１つのベース具１０と複数の保持具２０、５０とを組み合わせて、異なるカバー１、カバー２を形成できるカバーシステムを構成することもできる。
【００２６】
（２）  たとえば、カバー２では、以下のようにして他の保持具５０を構成する（図６、図７）。この保持具５０は本体部５１とスタンド部５８とから構成する（図６）◎
本体部５１は、中央部５２から４つの腕部５３、５３をねじ穴１３に向けて、放射状に延ばした形状で、各腕部５３の先端部に、丸孔からなる操作開口５４をそれぞれ形成する。この場合、操作開口５４の口径はファスナー３１の軸部３２より大きく、頭部３３より小さく形成する。  
また、本体部５１の中央部５２で、一面５２ａ側に、凸を形成して部分球殻状の球殻部５５を形成し、球殻部５５は中央部５２の他面５２ｂ側に球面状の凹部５６が形成される。球殻部５５には十字状の長孔５７を形成する（図６（ａ））。  
また、スタンド部５８は長い板状（又は棒状）で、上端部に球殻部５５の凹部５６に嵌合できる部分球状部５９を設ける。部分球状部５９を凹部５６に嵌めて、スタンド部５８と本体部５１とが自由に相対位置の変更ができるようになっている。  
スタンド部５８の部分球状部５９を凹部５６に嵌めた状態で、球殻部５５の外側（中央部５２の一面５２ａ側）から長孔５７の口径より大きい頭部のボルト６１（ボルト６１の頭部は長孔５７を通過できない）の軸部を長孔５７を通して、軸部の先端側を部分球状部５９に埋設するように固定する。これにより、球殻部５５から部分球状部５９が抜けずに、かつ本体部５１とスタンド部５８の相対位置を自由に変更できる。
【００２７】
（３）  前記カバー１と共通するベース具２０と保持具５０とからカバー２を構成する（図７）。すなわち、２つの保持具２０、５０と共通するベース具１０とからカバーシステムを構成する。  
この保持具５０では、スタンド部５８の下端を床などに置くことができる構造として（図示していない）、床からある程度高い位置にタブレットＰＣ４０を保持して、タブレットＰＣ４０を、楽器演奏時の譜面画面やカラオケの歌詞画面などとして使用する場合に適用できる。
【００２８】
（４）  また、他のカバーシステムの構成として、たとえば、以下のような構成が考えられる。  
病院のベッドに取り付ける保持具と、医師や看護士が手に持てる保持具と、移動可能な検査機器に保持する保持具などを組み合わせて、同じ１つのタブレットＰＣを病院内で使用するカバーシステムを構成することができる（図示していない）。この場合、保持具にベース具が取り付けた状態で、タブレットＰＣのみを取り外すことができるので、このような使用変更が容易である。  
また、家庭内で、キッチンでシンクやテーブルに置ける保持具と、冷蔵庫の壁に設置できる保持具と、トイレの壁に設置できる保持具などを組み合わせて、カバーシステムを構成できる（図示していない）。  
また、営業部の机の上で使用する保持具と、工場の各種場所に設置する保持具などを組み合わせてカバーシステムを構成することもできる（図示していない）。  
また、工事会社の設計室で使用できる保持具と、工事現場の仮設事務所や工事現場内の建築中の建物や仮設物に適した構造の保持具と、タブレットＰＣの手持ちに適した保持具などを組み合わせて、カバーシステムを構成することもできる（図示していない）。
【００２９】
５．他の実施態様
【００３０】
（１）  前記実施態様において、保持具本体部の各辺２３、２４（取付部２２、２２の外縁を結ぶ縁）は直線状としたが、外に向けて凹となるような曲線とすることもできる（図５）。この場合、ベース具１０の他面１０ｂに沿って手を入れれば、ベース具１０の他面１０ｂと保持具２０の一面２０ａとの間に手４２を入れやすい。また、この場合、少なくとも対向する辺で曲率又は内側へ凹み量を違えて形成すれば、机などに立てる場合の角度を変化させることができるので望ましい（図５中、Ｌ４１＜Ｌ４２、Ｌ５１＜Ｌ５２としてある）。
【００３１】
（２）  また、前記実施態様で、ベース具１０の四隅に、合計４つの保持点を設けたが、隣り合う保持点間の辺に手を入れ、あるいは机に立てる部分となるので、手を入れるスペースが確保できれば、４隅に限らず、任意である。また、保持点間に手を入れるので、大きめのスペースを設けることが望ましく、少なくとも２つが隅部に形成されると好ましい。ただし、保持点間の距離（手を入れるスペース）を多く取れれば、他の位置に設けることもできる（図示していない）。  
また、保持点の数も少なくとも２つ形成してあれば、保持点の数は任意である。４つより多く設定し、あるいは３つ又は２つとすることもできる（図示していない）。  
すなわち、前記実施態様では、ベース具１０の四隅にねじ穴１３、１３を設けてねじ穴１３を結ぶ線を長方形としたが（図８（ａ））、ねじ穴１３の上側を隅として下側を中央よりに配置して台形とし（図８（ｂ））、ねじ穴１３の下側を隅として上側を中央よりに配置して台形とすることもできる。また、ねじ穴１３は最低２つ設ければ良いので、ねじ穴１３の下側の２つを隅として上側の中央に１つ配置して、合計３つのねじ穴１３を形成することもできる（図８（ｃ））。この場合には  ねじ穴１３に対応して、保持具２０の操作開口２６の位置（取付部２２の位置）も変更する（図示していない）。  
また、ねじ穴１３を３つに配置した場合で、保持具２０の形状をＴ字状とし（図８（ｅ））、あるいは３角形とすることもできる（図示していない）。また、ねじ穴１３を２つ配置した場合、保持具２０を横長の細い長方形とすることもできる（図８（ｆ））。
【００３２】
（３）   また、前記実施態様で、ベース具２０をタブレットＰＣ４０の背面側に嵌装できる凹部１２を形成したが、ベース具２０は、タブレットＰＣ４０に取り付けできれば良いので、取り付ける構造は任意である。たとえば、保持具２０を板状とし、その四隅部にタブレットＰＣ４０の四隅部に係止するベルト類を設けることもできる（図示していない）。
【符号の説明】
【００３３】
１    カバー
２    カバー
１０  ベース具
１０ａ  ベース具の一面
１０ｂ  ベース具の他面
１２  凹部（ベース具）
１３  ねじ穴（ベース具。保持点）
１４  厚肉部（ベース具）
２０  保持具
２０ａ  保持具の一面
２０ｂ  保持具の他面
２１  本体部（保持具）
２２Ａ〜２２Ｄ  取付部（保持具）  
２３Ａ、２３Ｂ  辺（保持具）
２４Ａ、２４Ｂ  辺（保持具）
２６  操作開口（保持具）
２７  操作開口の中心部
２８  操作開口の案内部
２９  操作開口の係止部
３１  ファスナー（軸部材）
３２  ファスナーの軸部
３３  ファスナーの頭部
４０  タブレットＰＣ（携帯性情報機器端末）
４１  タブレットＰＣの画面
４２  人の手
４４  テーブル（机）
５０  保持具
５１  本体部（保持具）
５２  本体部の中央部
５３  本体部の腕部
５４  操作開口（保持具）
５５  球殻部（保持具）
５６  球殻部の凹部
５７  球殻部の長孔
５８  スタンド部（保持具）
５９  スタンド部の部分球状部
６１  スタンド部のボルト
【図１】
2013186677.tif 000003
【図２】
2013186677.tif 000004
【図３】
2013186677.tif 000005
【図４】
2013186677.tif 000006
【図５】
2013186677.tif 000007
【図６】
2013186677.tif 000008
【図７】
2013186677.tif 000009
【図８】
2013186677.tif 000010